(57)【要約】【課題】  貨幣（例えば硬貨）の入金取引によって装置が使用不可能となる事態の発生を抑えることができる自動取引装置を提供する。【解決手段】  予め定められている期間について、許容する入金取引回数若しくは貨幣の入金枚数の制限を設けておく。今回の入金取引が、制限回数を超えた回数の取引に該当する場合や、入金枚数が既に制限枚数を超えている場合、若しくは、今回の入金取引による枚数を加えたと仮定した入金枚数が制限枚数を超える場合に、今回の入金取引による貨幣入金を阻止する。【選択図】      図４
2013127738.tif 000002
【特許請求の範囲】
【請求項１】
顧客の操作に従って貨幣の入金取引を実行する自動取引装置において、
予め定められている期間について、貨幣の入金量を抑える入金量制限が設けられており、
貨幣の入金取引が選択されたとき、今回の入金取引が入金量制限の制限を受けるか否かを判別し、制限を受ける場合に、今回の入金取引による貨幣入金を阻止する入金量抑制手段を備える
ことを特徴とする自動取引装置。
【請求項２】
上記入金量制限が、貨幣入金が実行された入金取引の回数制限であり、上記入金量抑制手段は、今回の入金取引が、制限回数を超えた回数の取引に該当する場合に、今回の入金取引による貨幣入金を阻止することを特徴とする請求項１に記載の自動取引装置。
【請求項３】
上記入金量制限が、貨幣入金が実行された入金取引による入金枚数であり、上記入金量抑制手段は、入金枚数が既に制限枚数を超えている場合、若しくは、今回の入金取引による枚数を加えたと仮定した入金枚数が制限枚数を超える場合に、今回の入金取引による貨幣入金を阻止することを特徴とする請求項１又は２に記載の自動取引装置。
【請求項４】
上記入金量制限が設けられている貨幣が硬貨であることを特徴とする請求項１〜３のいずれかに記載の自動取引装置。
【請求項５】
顧客の操作に従って貨幣の入金取引を実行する自動取引装置に搭載されているコンピュータを、
貨幣の入金取引が選択されたとき、予め定められている期間について貨幣の入金量を抑えるべく設けられている入金量制限の制限を今回の入金取引が受けるか否かを判別し、制限を受ける場合に、今回の入金取引による貨幣入金を阻止する入金量抑制手段として機能させることを特徴とする自動取引プログラム。
【発明の詳細な説明】
【技術分野】
【０００１】
本発明は自動取引装置及び自動取引プログラムに関し、例えば、硬貨を入金可能な自動取引装置（ＡＴＭ；Ａｕｔｏｍａｔｅｄ  Ｔｅｌｌｅｒ  Ｍａｃｈｉｎｅ）に適用し得るものである。
【背景技術】
【０００２】
従来、自動取引装置の入金取引では、「硬貨のみ」、「紙幣のみ」、「紙幣及び硬貨」の入金が可能である。ここで、「硬貨のみ」の入金取引や「紙幣及び硬貨」の入金取引（以下、これらを硬貨入金取引と呼ぶ）において、一度に投入できる硬貨枚数に制限が設けられていた（特許文献１参照）。そのため、顧客が売上金等の大量の硬貨を自動取引装置を用いて入金しようとした場合には、制限枚数以内の硬貨を、硬貨入金取引によって入金することを何度も行うこととなる。
【先行技術文献】
【特許文献】
【０００３】
【特許文献１】特開２００３−２５６９０８号公報
【発明の概要】
【発明が解決しようとする課題】
【０００４】
しかしながら、従来の自動取引装置では、大量の硬貨を入金する場合には、一人の顧客が自動取引装置を長時間占有してしまう。
【０００５】
また、大量の硬貨を入金している途中の硬貨入金取引で、入金していた自動取引装置が硬貨のフル状態になった場合には、その自動取引装置は取引中止となる。このような場合には、顧客は、隣接する自動取引装置に対して、残りの硬貨の硬貨入金取引を行う。入金しようとする硬貨量によっては、複数回（１回のこともあり得る）の硬貨入金取引の連続により複数台の自動取引装置がそれぞれ取引中止となり、硬貨の回収など、通常状態への回復に要する時間だけ使用できなくなる。ＡＴＭコーナーに設置されている自動取引装置の台数によっては稼働率が低くなり、顧客サービスの低下につながってしまう。
【０００６】
以上のような課題は、大量の硬貨を入金する場合だけでなく、大量の紙幣を入金する場合にも同様に生じる。
【０００７】
そのため、貨幣の入金取引によって装置が使用不可能となる事態の発生を抑えることができる自動取引装置や自動取引プログラムが望まれている。
【課題を解決するための手段】
【０００８】
第１の本発明は、顧客の操作に従って貨幣の入金取引を実行する自動取引装置において、（１）予め定められている期間について、貨幣の入金量を抑える入金量制限が設けられており、（２）貨幣の入金取引が選択されたとき、今回の入金取引が入金量制限の制限を受けるか否かを判別し、制限を受ける場合に、今回の入金取引による貨幣入金を阻止する入金量抑制手段を備えることを特徴とする。
【０００９】
第２の本発明の自動取引プログラムは、顧客の操作に従って貨幣の入金取引を実行する自動取引装置に搭載されているコンピュータを、貨幣の入金取引が選択されたとき、予め定められている期間について貨幣の入金量を抑えるべく設けられている入金量制限の制限を今回の入金取引が受けるか否かを判別し、制限を受ける場合に、今回の入金取引による貨幣入金を阻止する入金量抑制手段として機能させることを特徴とする。
【発明の効果】
【００１０】
本発明によれば、所定期間の入金量制限により、貨幣の入金取引によって装置が使用不可能となる事態の発生を抑えることができる。
【図面の簡単な説明】
【００１１】
【図１】実施形態に係る自動取引装置の外観を示す斜視図である。
【図２】実施形態における硬貨入出金機の構成例を示す概略平面図である。
【図３】実施形態に係る自動取引装置における制御系の構成を示すブロック図である。
【図４】実施形態に係る自動取引装置の入金取引動作（特に、硬貨に関係する動作）を示すフローチャートである。
【図５】実施形態に係る自動取引装置の入金取引動作での表示画面（１）を示す説明図である。
【図６】実施形態に係る自動取引装置の入金取引動作での表示画面（２）を示す説明図である。
【図７】実施形態に係る自動取引装置の入金取引動作での表示画面（３）を示す説明図である。
【図８】実施形態に係る自動取引装置の入金取引動作での表示画面（４）を示す説明図である。
【発明を実施するための形態】
【００１２】
（Ａ）主たる実施形態
以下、本発明による自動取引装置及び自動取引プログラムの一実施形態を、図面を参照しながら説明する。
【００１３】
（Ａ−１）実施形態の構成
図１は、実施形態に係る自動取引装置１の外観を示す斜視図である。自動取引装置１は、表示・入力部１２、紙幣入出金口１３、硬貨入出金口１４、カード出入口１５、通帳出入口１６などを備えている。
【００１４】
表示・入力部１２は、表示部と、その上面側に設けられているタッチパネル式の入力部とを備え、顧客の操作により各種の入力を行なうと共に、操作ガイダンスや顧客へのメッセージ等が表示されるものである。
【００１５】
紙幣入出金口１３は、紙幣が投入されると共に、紙幣が排出される開口部である。紙幣入出金口１３にはシャッタが設けられ、シャッタが駆動されることにより紙幣入出金口１３が開閉される。紙幣入出金口１３には、図示しない紙幣入出金機に繋がっている。
【００１６】
硬貨入出金口１４は、硬貨が投入されると共に、硬貨が排出される開口部である。硬貨入出金口１４にもシャッタが設けられ、シャッタが駆動されることにより硬貨入出金口１４が開閉される。硬貨入出金口１４には、後述する図２に示す硬貨入出金機２に繋がっている。
【００１７】
カード出入口１５は、取引で使用されるカード（磁気カード、ＩＣカードなど記録方式は問われない；キャッシュカード、クレジットカードなど発行元は問われない）がここから挿入され、取引が終了するとカードが排出される出入り口である。なお、カード出入口１５から、取引内容が記載された明細票が排出されることもあり得る。
【００１８】
通帳出入口１６は、取引で使用される通帳がここから挿入され、取引が終了すると通帳が排出される出入り口である。
【００１９】
図２は、硬貨入出金口１４に繋がっている硬貨入出金機２の構成例を示す概略平面図である。但し、硬貨入出金機２の構成が、図２に示すものに限定されないことは勿論である。
【００２０】
硬貨入出金機２は、第１搬送路２０、第２搬送路２１、入出金硬貨受皿２２、硬貨繰出部２３、硬貨鑑別部２４、入金リジェクト部２５、入金一時保留部２６、オーバーフロースタッカ２７、補充回収庫２８、金種別スタッカ２９−１〜２９−６、出金一時保留部３０を有する。
【００２１】
硬貨を搬送する第１搬送路２０には、後述する硬貨処理部（図３参照）の制御下で硬貨を振り分ける振分けゲートが適宜の位置に設けられ、第１搬送路２０は、入金リジェクト部２５、入金一時保留部２６、オーバーフロースタッカ２７、補充回収庫２８、金種別スタッカ２９−１〜２９−６又は出金一時保留部３０に対して硬貨を上方より投入させることができるように搬送するものである。
【００２２】
硬貨を搬送する第２搬送路２１は、後述する硬貨処理部の制御下で、入金リジェクト部２５、入金一時保留部２６、オーバーフロースタッカ２７、補充回収庫２８、金種別スタッカ２９−１〜２９−６又は出金一時保留部３０の下方より繰出された硬貨を、入出金硬貨受皿２２に搬送するものである。
【００２３】
入出金硬貨受皿２２は、硬貨入出金口１４から投入された入金硬貨や、当該硬貨入出金機２の内部から放出された硬貨（例えば、出金のための硬貨）を受け付ける収容空間を形成しているものである。
【００２４】
硬貨繰出部２３は、入出金硬貨受皿２２に収納されている硬貨を１枚ずつ第１の搬送路２０へ繰り出して所定ピッチで当該硬貨入出金機２の内部に取り込むものである。
【００２５】
硬貨鑑別部２４は、第１搬送路２０上の搬送方向で硬貨繰出部２３の直後に配置され、硬貨繰出部２３によって繰り出された硬貨の真偽や金種（１円、５円、１０円、５０円、１００円、５００円）などを鑑別するものであり、硬貨鑑別部２４からの出力から、後述する硬貨処理部４６は金種別の枚数や総枚数などを認識することができる。
【００２６】
入金リジェクト部２５は、硬貨入金取引で入金された硬貨のうち、硬貨鑑別部２４でリジェクト硬貨（偽の硬貨や金種が不明の硬貨や取扱い対象外の硬貨など；以下、入金リジェクト硬貨と呼ぶ）と鑑別されたものを収納する部分である。１回の硬貨入金取引の制限枚数（例えば、５０枚や１００枚）を超えた真の硬貨も、例えば、入金リジェクト硬貨と見なされる。
【００２７】
入金一時保留部２６は、硬貨入金取引で入金された硬貨のうち、硬貨鑑別部２４で、金種が確定された真の硬貨を、一時的に保留するものである。
【００２８】
オーバーフロースタッカ２７は、いずれかの金種別スタッカ２９−ｉ（ｉは１〜６のいずれか）がフルになった以降に、当該硬貨入出金機２が受け入れなければならない入金硬貨を収納するものである。
【００２９】
例えば、ある金種別スタッカ２９−ｉがこれから受け付けられる残り枚数が５枚のときに、その金種の硬貨が６枚以上入金された場合には、入金硬貨中５枚は金種別スタッカ２９−ｉに収納され、残りの硬貨はオーバーフロースタッカ２７に収納されることになる。一旦、１つの金種別スタッカ２９−ｉが満杯になると、出金で空きができない限り、その金種はオーバーフロースタッカ２７に収納され、他の金種別スタッカ２９−ｊについても同様である。そのため、オーバーフロースタッカ２７の蓄積量も徐々に増加し、オーバーフロースタッカ２７自体がフル（満杯）になることも生じる。このようなときには、後述する主制御部４０は、当該硬貨入出金機２を有する自動取引装置１を「取扱中止」にし、テラーなどによる硬貨の回収操作を待つ状態になる。
【００３０】
補充回収庫２８は、金種別スタッカ２９−１〜２９−６に補充する硬貨を収納していたり、オーバーフロースタッカ２７や金種別スタッカ２９−１〜２９−６から回収した硬貨を収納したりするものである。
【００３１】
なお、硬貨を出金する取引（硬貨出金取引）のために、金種別スタッカ２９−１〜２９−６から取出され、硬貨鑑別部２４でリジェクトと鑑別された硬貨（出金リジェクト硬貨）は、オーバーフロースタッカ２７又は補充回収庫２８が収納するようにしても良く、又は、図２では省略しているが、出金リジェクト硬貨専用の収納庫を設けて収納するようにしても良い。
【００３２】
金種別スタッカ２９−１〜２９−６はそれぞれ、自己に設定されている金種の硬貨（１円、５円、１０円、５０円、１００円、５００円硬貨）を収納するものである。
【００３３】
出金一時保留部３０は、硬貨出金取引で出金しようとする硬貨を、一時的に保留し、まとめて入出金硬貨受皿２２に放出するものである。
【００３４】
硬貨入金取引での硬貨の流れは、以下の通りである。硬貨入出金口１４から入出金硬貨受皿２２に入金された硬貨は、硬貨繰出部２３によって、所定のピッチで１枚ずつ繰り出される。繰出された硬貨は、第１搬送路２０上の硬貨鑑別部２４において鑑別され、入金リジェクト硬貨は入金リジェクト部２５に振り分けられ、正当な入金硬貨は入金一時保留部２６に振り分けられて収納される。
【００３５】
硬貨鑑別部２４の鑑別に基づき、後述する主制御部４０が、鑑別入金硬貨の枚数が、１回の硬貨入金取引で許容されている制限枚数を超えたと判別したときには、硬貨繰出部２３からの繰出しを中止し、入金一時保留部２６及び入金リジェクト部２５に収納された硬貨は、第２搬送路２１経由で入出金硬貨受皿２２に返却される。
【００３６】
入金された全ての硬貨に対する鑑別が終了し、入金一時保留部２６又は入金リジェクト部２５への振分けが終了したときに、入金リジェクト部２５に収納された入金リジェクト硬貨があれば、その入金リジェクト硬貨は、第２搬送路２１経由で入出金硬貨受皿２２に返却され、取扱いが顧客に確認される。
【００３７】
入金一時保留部２６に一時保留（収納）されている入金硬貨の入金が確定すると、入金一時保留部２６に一時保留されている硬貨は、第２搬送路２１経由で入出金硬貨受皿２２に戻され、再度、硬貨繰出部２３によって、１枚ずつ第１の搬送路２０へ繰り出され、硬貨鑑別部２４によって金種が鑑別され、その金種に応じた金種別スタッカ２９−１〜２９−６に収納される。
【００３８】
上述したように、一部又は全ての金種別スタッカ２９−１〜２９−６に代えて、オーバーフロースタッカ２７に収納されることもあり、オーバーフロースタッカ２７自体がフル（満杯）になると、今回の硬貨入金取引の終了後に、当該硬貨入出金機２を有する実施形態の自動取引装置１が「取扱中止」にされる。
【００３９】
紙幣入出金機の図示は省略しているが、紙幣と硬貨の材質や形状に起因した搬送方法や収納の仕方や鑑別方法などは異なるが、具体的な構成の思想は、硬貨入出金機と同様である。
【００４０】
図３は、実施形態の自動取引装置１における制御系の構成を示すブロック図である。
【００４１】
図３において、自動取引装置１は、各部の制御を司る主制御部４０と、上述した表示・入力部１２、キャッシュカード等のカードに記録された情報のリードライトを行うカード処理部４１、操作ガイダンス等を音声出力する音声案内部４２、通帳の磁気ストライプのリードライトや通帳への印字制御を行う通帳処理部４３、取引明細を明細票に印字して排出する明細票処理部４４、紙幣の取込みや排出を制御する紙幣処理部４５、硬貨の取込みや排出を制御する硬貨処理部４６を有する。また、自動取引装置１は、各部に電源を供給する電源部４７、主制御部４０の記憶部としてのメモリ部４８、他の装置（例えば、ホストコンピュータ）との通信を行う通信部４９を有する。
【００４２】
硬貨処理部４６は、より具体的には、主制御部４０の制御下で、図２に示すような硬貨入出金機２に対する制御を行うものであり、また、硬貨入出金機２に関する情報（例えば、硬貨入金枚数など）を主制御部４０に通知するものである。
【００４３】
主制御部４０は、例えば、主にマイクロコンピュータなどで構成されており、当該自動取引装置１の動作全体を制御するものである。メモリ部４８は、例えば、プログラムメモリやワーキングメモリや設定データメモリとして適用される。主制御部４０は、プログラムメモリに格納されているプログラムや設定データメモリに設定されているデータに従い、ワーキングメモリを、情報を一時的に記憶するメモリとして用いながら、各部を制御する。
【００４４】
メモリ部４８に記憶されているプログラムとしては、入金取引プログラム４８ａがある。また、メモリ部４８に記憶されるワーキングデータとしては、本日のこれから可能な硬貨入金取引回数（以下、硬貨入金許容回数と呼ぶ）４８ｂがある。硬貨入金許容回数は、例えば、実施形態の自動取引装置１を配下に有するホストコンピュータから与えられるデータである。
【００４５】
実施形態の自動取引装置１を配下に有するホストコンピュータは、図示は省略するが、主制御部、メモリ部、通信部などを備えており、また、口座データベースや顧客データベースなどのデータベースが関連して設けられている。
【００４６】
この実施形態の場合、口座データベースにおける１つの口座データの１項目として、硬貨入金許容回数が設けられており、硬貨入金取引が正当に終了する毎に、１デクリメントされるようになされている。なお、日が変わる毎にホストコンピュータが実行する処理の一つとして、各口座データの硬貨入金許容回数を初期値（例えば、３回）に設定し直す処理が設けられている。なお、硬貨入金許容回数の初期値は、例えば、口座毎（若しくは顧客毎）に異なっても良く、口座開設時の契約で、硬貨入金許容回数の初期値を顧客が指定できるようにしても良い。
【００４７】
（Ａ−２）実施形態の動作
次に、実施形態に係る自動取引装置１の入金取引動作（特に、硬貨の入金を伴う動作）を、図面を参照しながら説明する。
【００４８】
自動取引装置１の主制御部４０は、取引待機画面として、取引の種類を選択するための画面を表示・入力部１２に表示させており、顧客によって、入金取引が選択されると、図４に示す処理（入金取引プログラム２８ａ）を開始する。図４は、一つの処理例を示しており、処理の流れはこれに限定されるものではない。例えば、生体認証を適用するようにしても良い。
【００４９】
主制御部４０は、通帳やキャッシュカードを挿入させることを求める画面を表示・入力部１２に表示させ、これに応じて、顧客が挿入した通帳やキャッシュカードからの情報を、通帳処理部４３やカード処理部４１から取得し（ステップ１００）、また、暗証番号の入力を求める画面を表示・入力部１２に表示させ、これに応じて、顧客が入力した暗証番号を取り込んで顧客を認証する（ステップ１０１）。
【００５０】
その後、主制御部４０は、通帳やキャッシュカードから取り込んだ情報（例えば口座情報）と入金取引であることなどをホストコンピュータに送信し、その後の処理に必要な情報をホストコンピュータから取り込む（ステップ１０２）。ホストコンピュータから取り込む情報の一つとして、硬貨入金許容回数がある。
【００５１】
主制御部４０は、硬貨入金許容回数が「０」になっているか否かを判別する（ステップ１０３）。硬貨入金許容回数が「０」になっていることは、本日に許容されている硬貨入金取引回数の硬貨入金取引が既に実行されていることを表している。
【００５２】
硬貨入金許容回数が「０」になっていると、主制御部４０は、本日にはもう硬貨入金取引を自動取引装置では実行できず、「紙幣のみ」の入金だけが現在認められていることを通知したり、大量の硬貨入金は窓口取引を利用して頂きたい旨をお願いしたりする、図５に示すような画面を表示・入力部１２に表示させ、顧客が「紙幣のみ」の入金を選択したか、入金取引の中止を選択したか判別する（ステップ１０４）。図４では省略しているが、「紙幣のみ」の入金が選択された場合には、従来と同様な「紙幣のみ」の入金動作を実行し、入金取引の中止が選択された場合には、その旨をホストコンピュータに通知したり、通帳やキャッシュカードを顧客に返却したり、表示画面を取引待機画面に戻したりする。
【００５３】
主制御部４０は、硬貨入金許容回数が「０」になっていないと（ステップ１０３で否定結果）、入金する現金の種類を選択させると共に、本日中に硬貨入金取引が自動取引装置で可能な回数（硬貨入金許容回数と等しい）を通知する、図６に示すような画面を表示・入力部１２に表示させ、顧客が「硬貨のみ」、「紙幣及び硬貨」又は「紙幣のみ」のいずれの現金入金方法を選択したか判別する（ステップ１０５）。
【００５４】
図４では、「硬貨のみ」の入金が選択された場合の動作のみを示している。「紙幣のみ」の入金が選択された場合には、従来と同様な「紙幣のみ」の入金動作が実行される。「紙幣及び硬貨」の入金が選択された場合の動作における特徴は、「硬貨のみ」の入金が選択された場合の動作における特徴と同様であり、「紙幣及び硬貨」の入金が選択された場合の動作の説明は省略する。
【００５５】
「硬貨のみ」の入金が選択されると、主制御部４０は、１回の取引で認められている入金制限枚数を通知すると共に硬貨の入金を促す画面を表示・入力部１２に表示させ、また、硬貨入出金口１４の蓋体を開放させて顧客に入金硬貨を当該自動取引装置１に投入させる（ステップ１０６）。なお、投入を検知したときには硬貨入出金口１４の蓋体を閉成させる。そして、主制御部４０は、投入された各硬貨を鑑別させ、総枚数や金種別の枚数などを計数させる（ステップ１０７）。
【００５６】
主制御部４０は、投入された入金硬貨の総枚数が入金制限枚数を超えているか否かを判別する（ステップ１０８）。投入された入金硬貨の総枚数が入金制限枚数を超えていると、主制御部４０は、投入された入金硬貨を入出金硬貨受皿２２に戻し、かつ、硬貨入出金口１４の蓋体を開放させて、投入された入金硬貨を顧客に返却させると共に、入金取引を中止した旨をホストコンピュータに通知したり、通帳やキャッシュカードを顧客に返却したり、表示画面を取引待機画面に戻したりする（ステップ１０９）。
【００５７】
これに対して、投入された入金硬貨の総枚数が入金制限枚数を超えていないと、主制御部４０は、投入された入金硬貨の総額を通知したり、今回の硬貨入金を確定した場合には硬貨入金取引が自動取引装置で本日中に可能な回数が何回になるかを通知したりすると共に、今回の硬貨入金取引を実行することを顧客に確認させる、図７に示すような画面を表示・入力部１２に表示させ、顧客が入金取引の最終確認を行ったか否かを判別する（ステップ１１０）。
【００５８】
この最終確認時に、顧客が入金取止めを選択した場合には、主制御部４０は、投入された入金硬貨を入出金硬貨受皿２２に戻し、かつ、硬貨入出金口１４の蓋体を開放させて、投入された入金硬貨を顧客に返却させると共に、入金取引を中止した旨をホストコンピュータに通知したり、通帳やキャッシュカードを顧客に返却したり、表示画面を取引待機画面に戻したりする（ステップ１０９）。
【００５９】
顧客の最終確認が得られると、主制御部４０は、投入された入金硬貨を金種別スタッカ２９−１〜２９−６（やオーバーフロースタッカ２７）に収納されて返却不可能にしたり、硬貨入金された金額などの口座データの更新に必要な情報をホストコンピュータに送信したり、更新後の残高などの顧客に通知すべき情報をホストコンピュータから取り込んだりし、残高や本日中に硬貨入金取引を可能な回数を通知する、図８に示すような入金取引終了画面を表示・入力部１２に表示させ、その後、通帳やキャッシュカードを顧客に返却したり、取引明細を記載した明細票を発行させたりし、最後に、表示画面を取引待機画面に戻し（ステップ１１１）、図４に示す一連の処理を終了する。
【００６０】
（Ａ−３）実施形態の効果
上記実施形態によれば、１日当たりの１口座当たりの硬貨入金取引の回数に制限を設けるようにしたので、売上金などの大量の硬貨を顧客が入金したくても、自動取引装置１で入金できる硬貨の枚数が所定枚数（制限回数と１回当たりの制限枚数との積）以下となり、自動取引装置１が硬貨あふれを起こすことを低減することができる。このことは、自動取引装置１が取扱中止になる回数を低減できていることになり、自動取引装置１の稼働率の向上に繋がると共に、テラーなどの作業効率の向上にもつながる。
【００６１】
また、上記実施形態によれば、１日当たりの１口座当たりの硬貨入金取引の回数に制限を設けるようにしたので、売上金などの大量の硬貨を顧客が入金したくても、その制限回数までしか硬貨入金取引を実行できず、１人の顧客が自動取引装置１を長く専有するようなことを低減できる。
【００６２】
その結果、大量の硬貨を顧客が入金したい場合には窓口取引を選択する頻度が高まると思われる。一般的には、窓口には、自動取引装置１より大量の硬貨を処理し得る硬貨処理装置が設けられていることが多く、窓口取引を選択したとしても、顧客にはほとんど迷惑をかけずにすると推測される。
【００６３】
また、賽銭泥棒など不正者が取得した大量の硬貨の不自然な入金取引も、最少限に留めることができる。
【００６４】
（Ｂ）他の実施形態
上記実施形態の説明においても、種々変形実施形態に言及したが、さらに、以下に示すような変形実施形態を挙げることができる。
【００６５】
上記実施形態では、入金現金の種類を顧客が選択する前に、硬貨入金許容回数を確認するものを示したが、顧客が入金現金の種類として「硬貨のみ」若しくは「紙幣及び硬貨」を選択した場合に、硬貨入金許容回数を確認するようにしても良い。
【００６６】
上記実施形態では、今回の硬貨入金取引が制限回数（硬貨入金許容回数の初期値）を超えたものであるか否かを自動取引装置が判別するものを示したが、ホストコンピュータが判別し、自動取引装置がその判別結果を取り込むものであっても良い。
【００６７】
上記実施形態では、ある顧客についての硬貨入金取引の制限回数が一定であるものを示したが、同一の顧客であっても、ある条件の成立下で硬貨入金取引の制限回数を変更するようにしても良い。
【００６８】
例えば、曜日により硬貨入金取引の制限回数を変更するようにしても良い。顧客が込み合う金曜日や金融機関の人がその支店にほとんどいない土曜日や日曜日には、制限回数を基準の制限回数より少なくするようにしても良く、休日中の売上金の入金を抑えていた翌日の月曜日には制限回数を基準の制限回数より多くするようにしても良い。同様に、金融機関の特異日（例えば、５の倍数の日や月末など）には、制限回数を基準の制限回数より少なくするようにしても良い。金融機関の特異日でない火曜日には、硬貨入金取引の制限回数を設けないようにしても良い。例えば、日が変わり、ホストコンピュータが、各口座データの硬貨入金許容回数を初期値（制限回数）に設定し直す際に、曜日などに応じた値を設定する。
【００６９】
また例えば、店舗規模（ＡＴＭ設置台数）に応じて、硬貨入金取引の制限回数を変更するようにしても良い。本支店情報と硬貨入金取引の制限回数とを対応付けたテーブルを予め用意しておき、ホストコンピュータは、口座データに含まれている口座開設本支店情報に基づき、設定する制限回数（硬貨入金許容回数の初期値）を得るようにしても良い。
【００７０】
上記実施形態では、１日の間では、硬貨入金許容回数を区別なく扱う自動取引装置を示したが、１日の間で硬貨入金許容回数に対する軽重を付けるようにしても良い。
【００７１】
例えば、ホストコンピュータが口座データに含まれている硬貨入金許容回数を自動取引装置から求められた場合に、その回数が「０」でないこと（制限回数に達していないこと）を条件に、時間帯に応じて口座データの硬貨入金許容回数を更新し、更新後の硬貨入金許容回数を自動取引装置に返信するようにしても良い。なお、同じ時間帯に対する更新が重複して実行されないように、更新されたことを表すフラグを口座データ内に設けて、更新済みか否かを把握できるようにしておくことが好ましい。窓口営業が終了する午後３時から、金融機関従業員が少なくなる午後６時までの間は、窓口取引ができないことに鑑み、硬貨入金許容回数を２回多くなるように更新し、午後６時以降は自動取引装置のトラブルに対応し難くなるため硬貨入金許容回数を１回少なくなるように更新するようにしても良い。
【００７２】
また例えば、前回の硬貨入金取引の時刻から、今回の硬貨入金取引を実行しようとした時刻が所定時間（例えば３時間）以上経っている場合には、ホストコンピュータは、口座データに含まれている硬貨入金許容回数が「０」でないことを条件に、硬貨入金許容回数を「２」だけ大きくするように更新し、更新後の硬貨入金許容回数を自動取引装置に送信するようにしても良い（このような更新も１回限りとする）。
【００７３】
上記実施形態では、制限回数を超えた硬貨入金取引を一切認めない自動取引装置を示したが、制限回数を超えても、手数料（例えば１００円）の支払いを条件に硬貨入金取引を認めるようにしても良い。例えば、制限回数が５回の場合に、１回の手数料の支払いにより６回〜１０回の硬貨入金取引を認めるようにしても良い（この場合でも１１回以上の硬貨入金取引は認めない）。例えば、５回の取引が終了した際、これ以上硬貨入金取引ができない旨と、１回の手数料の支払いにより例外的に６回〜１０回の硬貨入金取引を認める旨とを含む画面を表示し、顧客が例外取引を要望した際に、自動取引装置がホストコンピュータに例外取引を通知し、ホストコンピュータが口座の残高から手数料を源額すると共に、口座データの硬貨入金許容回数の項目に「５」を再設定するようにする。
【００７４】
上記実施形態では、１日当たりの硬貨入金取引の回数を制限するものを示したが、制限回数を設定する期間は１日に限定されるものではない。例えば、１０日単位で制限回数を設定するようにしても良く、１ケ月単位で制限回数を設定するようにしても良い。また例えば、月曜日と金曜日は１日単位で制限回数を設定し、土曜日及び日曜日は２日間で制限回数を設定し、火曜日〜木曜日は３日間で制限回数を設定するように、設定期間の長さも一定でないようにしても良い。
【００７５】
上記実施形態では、硬貨入金取引の１日の回数を制限する自動取引装置を示したが、硬貨入金取引による１日の入金枚数を制限するようにしても良い。例えば、自動取引装置の主制御部は、１回の取引で認められている入金制限枚数を今回の入金枚数が超えていないことを確認した場合、続いて、１日の取引で認められている入金制限枚数を、今回の入金枚数を加えたと仮定した１日の入金枚数が超えているか否かを判別し、超えている場合に、今回の硬貨入金取引で入金された硬貨を返却するようにする。
【００７６】
また、硬貨入金取引の１日の回数の制限と、１日の入金枚数の制限とを併用するようにしても良い。この場合において、いずれかの制限を超える硬貨入金取引を拒否するようにしても良い。このような方法に代え、制限回数に達した場合には、制限回数までで入金された枚数と制限枚数との差分を算出し、差分が大きい場合には、差分が属する範囲で定まる回数だけ追加して硬貨入金取引を認めるようにしても良い。
【００７７】
上述のような枚数制限は、金種に関係しない入金枚数に対する制限だけでなく、金種毎の入金枚数に対する制限であっても良い。
【００７８】
上記実施形態では、硬貨入金に対して制限を設けたものを示したが、紙幣入金に対して制限を設けるようにしても良い。硬貨入金の制限と、紙幣入金の制限とを併用した場合において、「紙幣及び硬貨」の入金取引で紙幣及び硬貨の一方だけが制限に引っ掛かったときには、どちらの入金も拒否するようにしても良く、また、表示画面を通じて、制限に引っ掛かっていない紙幣又は貨幣を入金するか否かの顧客意思を確認するようにしても良い。
【符号の説明】
【００７９】
１…自動取引装置、２…硬貨入出金機、１２…表示・入力部、１３…紙幣入出金口、１４…硬貨入出金口、２４…硬貨鑑別部、４０…主制御部、４５…紙幣処理部、４６…硬貨処理部、４８…メモリ部、４９…通信部、４８ａ…入金取引プログラム、４８ｂ…硬貨入金許容回数。
【図１】
2013127738.tif 000003
【図２】
2013127738.tif 000004
【図３】
2013127738.tif 000005
【図４】
2013127738.tif 000006
【図５】
2013127738.tif 000007
【図６】
2013127738.tif 000008
【図７】
2013127738.tif 000009
【図８】
2013127738.tif 000010